Podtech/llm-jp-corpus-v4-ja_patent huggingface dataset:
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
表示部と、
前記表示部内の所定領域を選択し、かつその大きさを変化させる制御部と、を備え、
前記制御部は、前記所定領域を選択すると、その領域を拡大して表示させるとともに、選択された所定領域内に配置され、当該所定領域の属性を示す注視対象についてはその大きさおよび前記表示部内における位置を選択前から変更させないことを特徴とする表示装置。
【請求項２】
請求項１記載の表示装置であって、前記注視対象が文字を含む表示装置。
【請求項３】
請求項１または２に記載の表示装置と、
前記所定領域を選択するための操作を入力する操作部と、を備える情報処理装置。
【請求項４】
複数のメニューを表示する表示部と、
前記複数のメニューから１つを選択し、かつそのメニューに対応する選択領域の大きさを変化させる制御部と、を備え、
前記制御部は、前記メニューを選択すると、そのメニューに対応する選択領域を拡大して表示させるとともに、メニューの内容を示す文字または記号または図形については、その大きさおよび前記表示部内における位置を選択前と同じ位置とすることを特徴とする表示装置。
【請求項５】
請求項４に記載の表示装置と、
前記所定領域を選択するための操作を入力する操作部と、を備える情報処理装置。
【請求項６】
表示部と、
当該表示部内の所定領域を選択する制御部と、を備え、
該制御部は、
第１の選択領域と、前記第１の選択領域の選択後に選択された第２の選択領域の間の選択移動方向を判定し、
前記第１の選択領域内に配置され、該第１の選択領域の属性を表示する注視対象の第１の選択領域内の相対位置と、前記第２の選択領域内に配置され、該第２の選択領域の属性を表示する注視対象の第２の選択領域内の相対位置との間の移動方向が、前記選択移動方向に実質的に一致するよう、前記第２の選択領域における注視対象の表示位置を制御する表示装置。
【請求項７】
請求項６記載の表示装置であって、前記注視対象が文字を含む、表示装置。
【請求項８】
請求項６又は７記載の表示装置であって、前記所定領域が、メニューを構成する表示装置。
【請求項９】
請求項６ないし８のいずれか１項記載の表示装置であって、前記制御部は、選択された領域を拡大させる表示装置。
【請求項１０】
請求項６ないし９のいずれか１項記載の表示装置と、
前記処理領域を選択するための操作を入力する操作部と、を備える情報処理装置。
【請求項１１】
表示部を備えた表示装置の制御方法であって、
当該表示部内の所定領域を選択するステップと、
選択された前記所定領域の大きさを変化させるステップと、
前記選択された所定領域内に配置され、当該選択された所定領域の属性を表示する注視対象の大きさおよび前記表示部内における表示位置を選択前と同じ位置とするステップと、
を備える制御方法。
【請求項１２】
表示部を備えた表示装置の制御方法であって、
当該表示部内の第１の選択領域を選択するステップと、
前記第１の選択領域の選択ステップの後、当該表示部内の第２の選択領域を選択するステップと、
前記第１の選択領域と、前記第２の選択領域の間の選択移動方向を判定するステップと、
前記第１の選択領域内に配置され、該第１の選択領域の属性を表示する注視対象の第１の選択領域内の相対位置と、前記第２の選択領域内に配置され、該第２の選択領域の属性を表示する注視対象の第２の選択領域内の相対位置との間の移動方向が、前記選択移動方向に実質的に一致するよう、前記第２の選択領域の注視対象の表示位置を制御するステップと、
を備える制御方法。
【請求項１３】
表示部を備えた表示装置を制御するためのプログラムであって、当該プログラムは、
当該表示部内の所定領域を選択する手順と、
選択された前記所定領域の大きさを変化させる手順と、
前記選択された所定領域内に配置され、当該選択された所定領域の属性を表示する注視対象の前記表示部内における表示位置を選択前と同じ位置とする手順と、
をコンピュータに実行させるプログラム。
【請求項１４】
表示部を備えた表示装置を制御するためのプログラムであって、当該プログラムは、
当該表示部内の第１の選択領域を選択する手順と、
前記第１の選択領域の選択手順の後、当該表示部内の第２の選択領域を選択する手順と、
前記第１の選択領域と、前記第２の選択領域の間の選択移動方向を判定する手順と、
前記第１の選択領域内に配置され、該第１の選択領域の属性を表示する注視対象の第１の選択領域内の相対位置と、前記第２の選択領域内に配置され、該第２の選択領域の属性を表示する注視対象の第２の選択領域内の相対位置との間の移動方向が、前記選択移動方向に実質的に一致するよう、前記第２の選択領域の注視対象の表示位置を制御する手順と、
をコンピュータに実行させるプログラム。
【手続補正２】
【補正対象書類名】明細書
【補正対象項目名】０００６
【補正方法】変更
【補正の内容】
【０００６】
本発明の表示装置は、表示部と、当該表示部内の所定領域を選択し、かつその大きさを変化させる制御部とを備え、前記制御部は、前記所定領域を選択すると、その領域を拡大して表示させるとともに、選択された所定領域内に配置され、当該所定領域の属性を示す注視対象についてはその大きさおよび前記表示部内における位置を選択前と同じ位置とする構成としている。
【手続補正３】
【補正対象書類名】明細書
【補正対象項目名】０００７
【補正方法】変更
【補正の内容】
【０００７】
この構成では、注視対象を表示する位置および大きさを変えないことにより、選択領域の移動（カーソル移動）時の視認の連続性を保ち、良好な視認性を確保し得る表示装置が実現される。
【手続補正４】
【補正対象書類名】明細書
【補正対象項目名】００１０
【補正方法】変更
【補正の内容】
【００１０】
また、前記注視対象としては、選択領域の属性を表現する文字または記号または図形などが含まれる。また、前記所定領域が、メニュー画面を構成するように所定領域を決めることができる。
【手続補正５】
【補正対象書類名】明細書
【補正対象項目名】００１２
【補正方法】変更
【補正の内容】
【００１２】
さらに本発明は、表示部を備えた表示装置の制御方法を提供する。該方法は、当該表示部内の所定領域を選択するステップと、選択された前記所定領域の大きさを変化させるステップと、前記選択された所定領域内に配置され、当該選択された所定領域の属性を表示する注視対象の大きさおよび前記表示部内における表示位置を選択前と同じ位置とするステップを含む。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
画像を表示するための第１画素領域及び前記第１画素領域に隣接する第２画素領域を有する基板と、
第１カラー層及び前記第１カラー層上に配置された第２カラー層を含み、前記第１画素領域上に配置され白色光からカラー光を発生する第１カラーフィルターと、
前記第２画素領域上に配置された第２カラーフィルターと、を含むことを特徴とする表示装置。
【請求項２】
前記カラー光は、グリーン波長範囲に含まれたグリーン光であることを特徴とする請求項１記載の表示装置。
【請求項３】
前記第１カラー層は、ブルー波長のブルー光を発生させるブルー顔料を含み、前記第２カラー層は、イエロー波長のイエロー光を発生させるイエロー顔料を含むイエローカラー層であることを特徴とする請求項２記載の表示装置。
【請求項４】
前記第２カラー層の厚みは、前記第１カラー層の厚みの１倍〜５倍であることを特徴とする請求項３記載の表示装置。
【請求項５】
前記第２カラー層の厚みは、５０ｎｍ〜６００ｎｍであることを特徴とする請求項４記載の表示装置。
【請求項６】
前記第１カラー層は、イエロー波長のイエロー光を発生させるイエロー顔料を含み、前記第２カラー層は、ブルー波長のブルー光を発生させるブルー顔料を含むことを特徴とする請求項２記載の表示装置。
【請求項７】
前記第１カラー層の厚みは、前記第２カラー層の厚みの１倍〜５倍であることを特徴とする請求項６記載の表示装置。
【請求項８】
前記第２カラーフィルターは、レッド光を発生させるレッド顔料を含み、前記基板は前記第１画素領域と隣接した第３画素領域に配置され、ブルー光を発生させるブルー顔料を含む第３カラーフィルターを更に含むことを特徴とする請求項１記載の表示装置。
【請求項９】
画像を表示するための第１画素領域、第２画素領域、及び第３画素領域を有する基板と、
前記第１画素領域上に配置され、ブルー光及びイエロー光の混合によってグリーン光を発生するために、前記ブルー光を発生するブルー顔料及び前記イエロー光を発生するイエロー顔料が分散された第１カラーフィルターと、
前記第２画素領域上に配置され、レッド光を発生するためのレッド顔料を含む第２カラーフィルターと、
前記第３画素領域上に配置され、ブルー光を発生するためのブルー顔料を含む第３カラーフィルターと、を含むことを特徴とする表示装置。
【請求項１０】
前記第１カラーフィルターの全体積に基づいて、前記ブルー顔料の嵩及び前記イエロー顔料の体積の比率は、１：１乃至１：５であることを特徴とする請求項９記載の表示装置。
【手続補正書】
【提出日】平成21年5月26日(2009.5.26)
【手続補正１】
【補正対象書類名】特許請求の範囲
【補正対象項目名】全文
【補正方法】変更
【補正の内容】
【特許請求の範囲】
【請求項１】
行列形態に配置された複数の画素を含む表示装置であって、
前記画素に連結されているデータ線と、
外部からの映像データを処理し、複数の制御信号を生成する信号制御部と、
複数の階調電圧を生成する階調電圧生成部と、
前記階調電圧の中で前記信号制御部からの映像データに相当する階調電圧を選択してデータ電圧として前記データ線に印加するデータ駆動部と、を含み、
前記映像データは、所定の値を有する第１状態または前記第１状態とは異なる所定の値を有する第２状態を有する第１データ、第２データ、または第３データを含み、
前記信号制御部は前記第１データまたは前記第２データが入力された場合には前記映像データを前記第１状態に出力する表示装置。
【請求項２】
前記信号制御部は前記第１データと前記第２データとを識別するための識別信号をさらに出力する、請求項１に記載の表示装置。
【請求項３】
前記データ駆動部は前記識別信号によって前記第１データまたは前記第２データを処理する、請求項２に記載の表示装置。
【請求項４】
前記第１データは全てホワイトデータであり、前記第２データは全てブラックデータである、請求項３に記載の表示装置。
【請求項５】
行列形態に配置された複数の画素を含む表示装置であって、
前記画素に連結されているデータ線と、
外部からの映像データを画素行単位で処理し、複数の制御信号を生成する信号制御部と、
複数の階調電圧を生成する階調電圧生成部と、
前記階調電圧の中で前記信号制御部からの映像データに相当する階調電圧を選択してデータ電圧として前記データ線に印加するデータ駆動部と、を含み、
前記映像データは第１データ、第２データ、または第３データを含み、
前記信号制御部は前記第１データ、第２データ、または第３データの極性を決める極性信号を出力し、
前記映像データが前記第１データまたは前記第２データである場合、前記第１データまたは前記第２データの極性は直前の画素行データの極性と同一である表示装置。
【請求項６】
前記第１データは全てホワイトデータであり、前記第２データは全てブラックデータである、請求項５に記載の表示装置。
【請求項７】
前記隣接した二つのデータ線の間に連結されているスイッチング素子をさらに含み、
前記信号制御部は前記スイッチング素子を制御するスイッチング制御信号を出力し、前記第１データまたは前記第２データが入力される場合には前記スイッチング制御信号を出力しない、請求項５または６に記載の表示装置。
【請求項８】
前記データ駆動部は複数のデータ駆動集積回路を含み、
前記信号制御部と前記複数のデータ駆動集積回路とはそれぞれ点対点方式で連結されている、請求項５から７のいずれかに記載の表示装置。
【請求項９】
行列形態に配置された複数の画素を含む表示装置であって、
外部からの映像データを画素行単位で処理し、複数の制御信号を生成する信号制御部と、
複数の階調電圧を生成する階調電圧生成部と、
クロック同期化回路を含み、前記階調電圧の中で前記信号制御部からの映像データに相当する階調電圧を選択してデータ電圧として前記データ線に印加するデータ駆動部と、を含み、
前記信号制御部は前記クロック同期化回路の動作を制御する動作制御信号を出力し、
前記信号制御部は前記データ駆動部の速度が所定周波数以下である場合には、前記クロック同期化回路の動作を中止させる前記動作制御信号を出力する表示装置。
【請求項１０】
前記動作制御信号は前記映像データの後に出力される、請求項９に記載の表示装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
本発明の他の実施形態によって行列形態に配置された複数の画素を含む表示装置は、外部からの映像データを画素行単位で処理して複数の制御信号を生成する信号制御部と、複数の階調電圧を生成する階調電圧生成部と、クロック同期化回路を含み、前記階調電圧の中で前記信号制御部からの映像データに相当する階調電圧を選択してデータ電圧として前記データ線に印加するデータ駆動部とを含み、
前記信号制御部は前記クロック同期化回路の動作を制御する動作制御信号を出力し、前記信号制御部は前記データ駆動部の速度が所定周波数以下である場合には前記クロック同期化回路の動作を中止させる前記動作制御信号を出力する。
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
第１の軟化点を有するレンズに前記第１の軟化点よりも高い第２の軟化点を有する光ファイバを接合する方法であって、
前記レンズに、端面が光軸に対して傾斜した前記光ファイバを、近接または接触させた状態に位置決めするステップと、
前記レンズと前記光ファイバとの位置関係を固定した状態で前記第１の軟化点よりも高く、且つ前記第２の軟化点よりも低い温度に加熱を行い、前記レンズと前記光ファイバの前記端面との間に、前記レンズの構成材料を充填するステップと
を備えることを特徴とする光部品の製造方法。
【請求項２】
前記位置決めするステップにおいて、
前記レンズと前記光ファイバとの隙間に液体を滴下するステップをさらに備えることを特徴とする請求項１に記載の光部品の製造方法。
【請求項３】
前記レンズの構成材料を充填するステップは、
前記レンズと前記光ファイバの前記端面との間に形成された楔型の隙間に、溶融した前記レンズの構成材料を、毛細管現象によって充填することによって行われることを特徴とする請求項１または２に記載の光部品の製造方法。
【請求項４】
第１の軟化点を有するレンズと、
前記第１の軟化点よりも高い第２の軟化点を有し、先端の端面が光軸に対して傾斜した構造を有する光ファイバと、
前記レンズと前記光ファイバとの位置関係を固定した状態で前記第１の軟化点よりも高く、且つ前記第２の軟化点よりも低い温度に加熱を行うことにより前記レンズと前記端面との間に充填された前記レンズの構成材料と
を有し、
前記光ファイバの前記端面の中心は前記レンズの端面の外側に位置することを特徴とする光部品。
【請求項５】
第１の軟化点を有するレンズと、
前記第１の軟化点よりも高い第２の軟化点を有し、先端の端面が光軸に対して傾斜した構造を有する光ファイバと、
前記レンズと前記光ファイバの前記端面との間に充填された溶融固化した前記レンズの構成材料と
を有し、
前記光ファイバの前記端面の中心は前記レンズの端面の外側に位置することを特徴とする光部品。
【請求項６】
前記レンズと前記光ファイバとの接合部分において、
前記レンズの端面が盛り上がった形状を有することを特徴とする請求項４または５に記載の光部品。
【請求項７】
前記レンズと前記端面との間は楔形の空間であって、該空間に充填された前記レンズの構成材料は、毛細管現象により充填されたことを特徴とする請求項４〜６のいずれかに記載の光部品。
【手続補正２】
【補正対象書類名】明細書
【補正対象項目名】００１１
【補正方法】変更
【補正の内容】
【００１１】
本発明は、光部品の製造方法に係り、第１の軟化点を有するレンズに前記第１の軟化点よりも高い第２の軟化点を有する光ファイバを接合する方法であって、前記レンズに、端面が光軸に対して傾斜した前記光ファイバを、近接または接触させた状態に位置決めするステップと、前記レンズと前記光ファイバとの位置関係を固定した状態で前記第１の軟化点よりも高く、且つ前記第２の軟化点よりも低い温度に加熱を行い、前記レンズと前記光ファイバの前記端面との間に、前記レンズの構成材料を充填するステップとを備えることを特徴とする。
【手続補正３】
【補正対象書類名】明細書
【補正対象項目名】００１８
【補正方法】変更
【補正の内容】
【００１８】
本発明は、上述した製造方法によって得られた光部品として把握することもできる。すなわち、本発明の光部品は、第１の軟化点を有するレンズと、前記第１の軟化点よりも高い第２の軟化点を有し、先端の端面が光軸に対して傾斜した構造を有する光ファイバと、前記レンズと前記光ファイバとの位置関係を固定した状態で前記第１の軟化点よりも高く、且つ前記第２の軟化点よりも低い温度に加熱を行うことにより前記レンズと前記端面との間に充填された前記レンズの構成材料とを有し、前記光ファイバの前記端面の中心は前記レンズの端面の外側に位置することを特徴とする。また本発明の光部品は、第１の軟化点を有するレンズと、前記第１の軟化点よりも高い第２の軟化点を有し、先端の端面が光軸に対して傾斜した構造を有する光ファイバと、前記レンズと前記光ファイバの前記端面との間に充填された溶融固化した前記レンズの構成材料とを有し、前記光ファイバの前記端面の中心は前記レンズの端面の外側に位置することを特徴とする。
【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
回転操作されることで絞り値を調節可能な絞りリングを備えた第１のレンズユニットと、前記絞りリングを備えていない第２のレンズユニットと、を選択的に着脱可能な一眼レフカメラボディであって、
回転操作が可能であり、一眼レフカメラボディに装着された前記第１のレンズユニットまたは前記第２のレンズユニットの絞り値を調節するための回転操作を受け付ける回転操作部と、
前記回転操作部において調節された絞り値を、一眼レフカメラボディに装着された前記第１のレンズユニットまたは前記第２のレンズユニットに送信するコントローラーと、を備え、
前記絞りリングを回転操作して絞り値を増加させる場合のリングの操作方向と、前記回転操作部を回転操作して絞り値を増加させる場合の回転操作部の操作方向とが、一致するように構成されている、一眼レフカメラボディ。
【請求項２】
前記第１のレンズユニットまたは前記第２のレンズユニットのうち、どちらが一眼レフカメラボディに装着されているかを検出する検出部を備え、
前記コントローラーは、
前記検出部が前記第２のレンズユニットが装着されていることを検出している時、前記回転操作部において調節された絞り値を、一眼レフカメラボディに装着された前記第２のレンズユニットに送信する、請求項１記載の一眼レフカメラボディ。
【請求項３】
表示部を備え、
前記回転操作部が絞り値を調節するための回転操作を受け付けると、前記表示部は、前記絞りリングの外観を表す画像を表示する、請求項１に記載の一眼レフカメラボディ。
【請求項４】
少なくとも被写体の光量やシャッタースピードの設定により絞り値が算出される自動設定モードを、さらに備え、
前記回転操作部は、前記自動設定モードを選択可能である、請求項１記載の一眼レフカメラボディ。
【請求項５】
請求項１に記載の一眼レフカメラボディに着脱可能であるとともに、前記一眼レフカメラボディとの間でデータ通信が可能なレンズユニットであって、
入射される光学画像の光軸上に配され、通過光量を制限可能な絞り部と、
前記一眼レフカメラボディから送信される絞り値のデータに基づき、前記絞り部を駆動させるよう制御する絞り設定部と、を備えるレンズユニット。
【請求項６】
一眼レフカメラボディとレンズユニットとから構成される一眼レフカメラシステムであって、
前記一眼レフカメラボディは、
回転操作が可能であり、一眼レフカメラボディに装着された前記第１のレンズユニットまたは前記第２のレンズユニットの絞り値を調節するための回転操作を受け付ける回転操作部と、
前記回転操作部において調節された絞り値を、一眼レフカメラボディに装着された前記第１のレンズユニットまたは前記第２のレンズユニットに送信するコントローラーと、を備え、
前記絞りリングを回転操作して絞り値を増加させる場合の操作方向と、前記回転操作部を回転操作して絞り値を増加させる場合の操作方向とが、一致するように構成され、
前記レンズユニットは、
回転操作されることで絞り値を調節可能な絞りリングを備えた第１のレンズユニット、または、前記絞りリングを備えていない第２のレンズユニットのいずれかで構成され、
前記一眼レフカメラボディに着脱可能であるとともに、前記一眼レフカメラボディとの間でデータ通信が可能であり、
入射される光学画像の光軸上に配され、通過光量を制限可能な絞り部と、
前記一眼レフカメラボディから送信される絞り値に基づき、前記絞り部を駆動させるよう制御する絞り設定部とを備えた、一眼レフカメラシステム。
【手続補正２】
【補正対象書類名】明細書
【補正対象項目名】０００８
【補正方法】変更
【補正の内容】
【０００８】
この目的を達成するために本発明の一眼レフカメラボディは、回転操作されることで絞り値を調節可能な絞りリングを備えた第１のレンズユニットと、前記絞りリングを備えていない第２のレンズユニットと、を選択的に着脱可能な一眼レフカメラボディであって、回転操作が可能であり、一眼レフカメラボディに装着された前記第１のレンズユニットまたは前記第２のレンズユニットの絞り値を調節するための回転操作を受け付ける回転操作部と、前記回転操作部において調節された絞り値を、一眼レフカメラボディに装着された前記第１のレンズユニットまたは前記第２のレンズユニットに送信するコントローラーと、を備え、前記絞りリングを回転操作して絞り値を増加させる場合のリングの操作方向と、前記回転操作部を回転操作して絞り値を増加させる場合の回転操作部の操作方向とが、一致するように構成されている。
【手続補正３】
【補正対象書類名】明細書
【補正対象項目名】００１０
【補正方法】変更
【補正の内容】
【００１０】
また、本発明の一眼レフカメラシステムは、一眼レフカメラボディとレンズユニットとから構成される一眼レフカメラシステムである。前記一眼レフカメラボディは、回転操作が可能であり、一眼レフカメラボディに装着された前記第１のレンズユニットまたは前記第２のレンズユニットの絞り値を調節するための回転操作を受け付ける回転操作部と、前記回転操作部において調節された絞り値を、一眼レフカメラボディに装着された前記第１のレンズユニットまたは前記第２のレンズユニットに送信するコントローラーと、を備え、前記絞りリングを回転操作して絞り値を増加させる場合の操作方向と、前記回転操作部を回転操作して絞り値を増加させる場合の操作方向とが、一致するように構成されている。前記レンズユニットは、回転操作されることで絞り値を調節可能な絞りリングを備えた第１のレンズユニット、または、前記絞りリングを備えていない第２のレンズユニットのいずれかで構成され、前記一眼レフカメラボディに着脱可能であるとともに、前記一眼レフカメラボディとの間でデータ通信が可能であり、入射される光学画像の光軸上に配され、通過光量を制限可能な絞り部と、前記一眼レフカメラボディから送信される絞り値に基づき、前記絞り部を駆動させるよう制御する絞り設定部とを備えたものである。
【手続補正４】
【補正対象書類名】明細書
【補正対象項目名】００１２
【補正方法】変更
【補正の内容】
【００１２】
本発明の一眼レフカメラボディは、前記第１のレンズユニットまたは前記第２のレンズユニットのうち、どちらが一眼レフカメラボディに装着されているかを検出する検出部を備え、前記コントローラーは、前記検出部が前記第２のレンズユニットが装着されていることを検出している時、前記回転操作部において調節された絞り値を、一眼レフカメラボディに装着された前記第２のレンズユニットに送信する構成とすることができる。
【手続補正５】
【補正対象書類名】明細書
【補正対象項目名】００１３
【補正方法】変更
【補正の内容】
【００１３】
また、本発明の一眼レフカメラボディは、表示部を備え、前記回転操作部が絞り値を調節するための回転操作を受け付けると、前記表示部は、前記絞りリングの外観を表す画像を表示する構成とすることが好ましい。このように構成することにより、ボディユニット側での絞り値設定の操作性を向上させることができる。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
照明装置と反射型液晶表示装置とを備えた表示装置であって、
前記照明装置は、透明基板と、この透明基板上に部分的に配置された発光薄体と、を備え、前記発光薄体の一方の面を前記反射型液晶表示装置の表示面に対向させて配置されており、
前記反射型液晶表示装置は、偏光板と、共通電極と、前記共通電極と対向して配置された反射電極と、前記共通電極上及び反射電極上のそれぞれに配置された１対の配向膜と、
前記共通電極及び前記反射電極に挟まれた液晶層と、前記反射電極が配置された基板と、
を備え、前記偏光板は、所定の金属層がパターニングされてなる回折格子であることを特徴とする表示装置。
【請求項２】
前記所定の金属層は、アルミニウム層であることを特徴とする請求項１記載の表示装置。
【請求項３】
照明装置と反射型液晶表示装置とを備えた表示装置であって、
前記照明装置は、透明基板と、この透明基板上に部分的に配置された発光薄体と、を備え、前記発光薄体の一方の面を前記反射型液晶表示装置の表示面に対向させて配置されており、
前記反射型液晶表示装置は、偏光板と、共通電極と、前記共通電極と対向して配置された反射電極と、前記共通電極上及び反射電極上のそれぞれに配置された１対の配向膜と、
前記共通電極及び前記反射電極に挟まれた液晶層と、前記反射電極が配置された基板と、
を備え、前記偏光板は、二色性染料分子を含む溶液の塗布及び固化により、その二色性染料分子が規則的に配列されてなることを特徴とする表示装置。
【請求項４】
前記偏光板と前記共通電極との間に、光散乱層が配置されていることを特徴とする請求項１、２、３のうちいずれか１項に記載の表示装置。
【請求項５】
前記発光薄体は、陽極及び陰極を備えた有機エレクトロルミネッセンス素子からなり、前記陽極又は陰極のうち少なくとも一方は、所定の形状にパターニングされていることを特徴とする請求項１、２、３、４のうちいずれか１項に記載の表示装置。
【請求項６】
前記所定の形状はストライプ状であることを特徴とする請求項５に記載の表示装置。
【請求項７】
前記発光薄体の他方の面を覆うようにして、遮光層が配置されていることを特徴とする請求項１、２、３、４、５、６のいずれか１項に記載の表示装置。
【請求項８】
観察側の表面に設けられ、その透過軸に沿った偏光を透過する第１の偏光板と、
前記第１の偏光板の下に設けられる第１の４分の１波長板と、
前記第１の４分の１波長板の下に設けられ、前記第１の４分の１波長板の下方の一部分において光を下方に向けて照射する照明層と、
前記照明層の下に設けられる第２の４分の１波長板と、
前記第２の４分の１波長板の下に設けられ、前記第１の偏光板と同一の方向の透過軸に沿った偏光を透過する第２の偏光板と、
液晶層に印加する電圧を制御することで、前記第２の偏光板からの偏光を液晶層の光学特性に基づいて変化させ、前記第２の偏光板から入射してくる光を反射射出する液晶表示部と、
を有することを特徴とする液晶表示装置。
【請求項９】
請求項８に記載の液晶表示装置において、
前記第１の４分の１波長板は、前記第１の偏光板の透過軸と４５°または１３５°ずれた遅相軸を有し、
前記第２の４分の１波長板は、前記第１の４分の１波長板の遅相軸に対し、９０°または２７０°ずれた遅相軸を有することを特徴とする液晶表示装置。
【請求項１０】
請求項８に記載の液晶表示装置において、
前記照明層は、有機ＥＬ発光素子を含むことを特徴とする液晶表示装置。
【請求項１１】
請求項８、９、１０のいずれか１項に記載の液晶表示装置において、
前記第１の偏光板の表面は、反射防止処理が施されていることを特徴とする液晶表示装置。
【手続補正書】
【提出日】平成21年6月12日(2009.6.12)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
複数のゲート線と複数のデータ線との交差に対応して配置される複数の画素と、
複数のモニター用発光素子、複数のモニター制御用トランジスタおよび複数のインバータと、を有するモニター回路と、を備える表示装置であって、
前記画素は、少なくとも２つ以上のサブ画素により構成され、
前記サブ画素は、バッファアンプと電気的に接続され、
前記インバータの入力端子は、前記モニター制御用トランジスタのソースまたはドレインの一方および前記モニター用発光素子の一方の電極と電気的に接続され、
前記インバータの出力端子は、前記モニター制御用トランジスタのゲートと電気的に接続され、
前記モニター制御用トランジスタのソースまたはドレインの他方は、前記バッファアンプおよび定電流源と電気的に接続されていることを特徴とする表示装置。
【請求項２】
複数のゲート線と複数のデータ線との交差に対応して配置される複数の画素と、
複数のモニター用発光素子、複数のモニター制御用トランジスタおよび複数のインバータと、を有するモニター回路と、を備える表示装置であって、
前記画素は、少なくとも２つ以上のサブ画素により構成され、
一画素における前記サブ画素は、それぞれ異なるバッファアンプと電気的に接続され、
前記インバータの入力端子は、前記モニター制御用トランジスタのソースまたはドレインの一方および前記モニター用発光素子の一方の電極と電気的に接続され、
前記インバータの出力端子は、前記モニター制御用トランジスタのゲートと電気的に接続され、
前記モニター制御用トランジスタのソースまたはドレインの他方は、前記バッファアンプのいずれかおよび定電流源と電気的に接続されていることを特徴とする表示装置。
【請求項３】
請求項１または請求項２において、
前記サブ画素は、発光素子を備え、
前記発光素子と、前記モニター用発光素子とは、同一電位の電源と電気的に接続されていることを特徴とする表示装置。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
少なくとも一方が透明である一対の電極基板と、前記電極基板間に挟持された導電性とエレクトロクロミック性とを有する単層固体膜とからなることを特徴とする調光体。
【請求項２】
単層固体膜は、エレクトロクロミック性を有する化合物と、導電性化合物とを含有することを特徴とする請求項１記載の調光体。
【請求項３】
エレクトロクロミック性を有する化合物は、エレクトロクロミック性を有する高分子化合物であることを特徴とする請求項２記載の調光体。
【請求項４】
エレクトロクロミック性を有する高分子化合物は、エレクトロクトミック性と導電性とを有することを特徴とする請求項３記載の調光体。
【請求項５】
エレクトロクロミック性を有する高分子化合物は、芳香族側鎖を有するポリアセチレン系化合物であることを特徴とする請求項４記載の調光体。
【請求項６】
芳香族側鎖を有するポリアセチレン系化合物は、下記一般式（１）、下記一般式（２）又は下記一般式（３）で表される繰り返し単位を有することを特徴とする請求項５記載の調光体。
【化１】
2007041579.tif 000001
式（１）中、Ｒ１、Ｒ２、Ｒ３は水素、炭素数１０以下のアルキル基、又は、炭素数１０以下のアルコキシ基を表し、Ｒ１、Ｒ２、Ｒ３のうち少なくとも１つはアルコキシ基を表す。
【化２】
2007041579.tif 000002
式（２）中、Ｒ４、Ｒ５、Ｒ６はそれぞれ水素、炭素数１０以下のアルキル基、トリフルオロメチル基、トリアルキルシリル基（ただしアルキル基は炭素数６以下）、アミノ基、アルキルアミノ基を表し、少なくとも一つは水素ではなく、それ以外の基は同一であってもよいし異なっていてもよい。
【化３】
2007041579.tif 000003
式（３）中、Ｒ７は炭素数１〜１０の分岐していてもよいアルキル基、アルキル基の炭素数が１〜１０であるアルコキシ基、アルキル基の炭素数が１〜１０であるトリアルキルシリル基を表す。
【手続補正書】
【提出日】平成21年6月15日(2009.6.15)
【手続補正１】
【補正対象書類名】明細書
【補正対象項目名】発明の名称
【補正方法】変更
【補正の内容】
【発明の名称】表示装置及び電子機器
【手続補正２】
【補正対象書類名】特許請求の範囲
【補正対象項目名】全文
【補正方法】変更
【補正の内容】
【特許請求の範囲】
【請求項１】
複数の画素を有し、
前記複数の画素のそれぞれには各色素要素を構成する副画素を有し、
前記副画素は複数の表示領域を一組とし、前記一組には面積の異なる複数の表示領域が含まれ、前記副画素はストライプに配置され、
第１の状態と第２の状態とで前記副画素を構成する表示領域の組み合わせが異なり、前記副画素を構成する表示領域の総面積が等しいことを特徴とする表示装置。
【請求項２】
第１の表示領域と第２の表示領域と第３の表示領域とを有し、
前記第１の表示領域と前記第２の表示領域と前記第３の表示領域とは、同じ色要素が表示され、
第１の状態において、画素は、前記第１の表示領域と前記第２の表示領域と有しており、
第２の状態において、前記画素は、前記第２の表示領域と前記第３の表示領域と有しており、
前記第１の表示領域の面積と前記第３の表示領域の面積とは、同じであることを特徴とする表示装置。
【請求項３】
請求項１又は２において、
前記画素は、前記画素を前記第１の状態または前記第２の状態のいずれかを表示させるかによって、階調を表現することを特徴とする表示装置。
【請求項４】
画素部に複数の画素を有し、
前記複数の画素のそれぞれには各色要素を構成する副画素を有し、
前記副画素は、複数の表示領域を有し、
前記複数の表示領域には、複数種の面積の矩形型の表示領域が含まれ、
前記副画素毎に前記複数の表示領域がストライプに配置され、
前記複数の表示領域のうち最大の面積の表示領域は、ストライプ方向と直交する方向の一辺が、隣り合う列の最小の面積の表示領域の一辺とそろい、ストライプ方向と直交する方向の他辺が、隣り合う列の最大の面積の表示領域の他辺とずれて配置されていることを特徴とする表示装置。
【請求項５】
請求項４において、
前記副画素の前記複数の表示領域は、最小の面積の表示領域の２ｎ（ｎは１以上の整数）倍の面積の表示領域が含まれていることを特徴とする表示装置。
【請求項６】
請求項１乃至５のいずれか一において、
前記色要素は、赤色、緑色、青色の色要素からなることを特徴とする表示装置。
【請求項７】
請求項１乃至５のいずれか一において、
前記色要素は、赤色、緑色、青色、白色の色要素からなることを特徴とする表示装置。
【請求項８】
請求項１乃至７のいずれか一において、
前記画素は液晶素子とトランジスタとを有することを特徴とする表示装置。
【請求項９】
請求項１乃至７のいずれか一において、
前記画素は発光素子とトランジスタとを有することを特徴とする表示装置。
【請求項１０】
請求項１、及び請求項４乃至９のいずれか一において、
前記副画素に含まれる前記表示領域のいずれかを表示させるかによって階調を表現することを特徴とする表示装置。
【請求項１１】
請求項１、及び請求項４乃至１０のいずれか一において、
前記副画素に含まれる前記表示領域を表示させる時間によって階調を表現することを特徴とする表示装置。
【請求項１２】
請求項１乃至１１のいずれか一項に記載の表示装置を搭載した電子機器。
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
（Ａ）光源、
（Ｂ）複数の画素を有し、光源からの光を各画素によって変調して２次元画像を生成し、且つ、生成した２次元画像における空間周波数を、各画素から生じる複数の回折次数に対応した回折角に沿って射出する光変調手段、
（Ｃ）光変調手段から射出された２次元画像における空間周波数をフーリエ変換して、前記複数の回折次数に対応する数のフーリエ変換像を生成するフーリエ変換像形成手段、
（Ｄ）前記複数の回折次数に対応する数だけ生成されたフーリエ変換像の内、所望の回折次数に対応するフーリエ変換像を選択するフーリエ変換像選択手段、並びに、
（Ｅ）フーリエ変換像選択手段によって選択されたフーリエ変換像の共役像を形成する共役像形成手段、
を備えていることを特徴とする３次元像表示装置。
【請求項２】
共役像形成手段には、フーリエ変換像選択手段によって選択されたフーリエ変換像を逆フーリエ変換することにより、光変調手段によって生成された２次元画像の実像を形成する逆フーリエ変換手段が含まれることを特徴とする請求項１に記載の３次元像表示装置。
【請求項３】
光変調手段は、２次元的に配列された複数の画素を有する２次元空間光変調器から成り、
各画素は開口を備えており、
２次元空間光変調器は、液晶表示装置から成ることを特徴とする請求項１又は請求項２に記載の３次元像表示装置。
【請求項４】
光変調手段は、２次元的に配列された複数の画素を有する２次元空間光変調器から成り、
各画素は開口を備えており、
２次元空間光変調器の各開口内には、可動ミラーが設けられていることを特徴とする請求項１又は請求項２に記載の３次元像表示装置。
【請求項５】
光変調手段は、
（Ｂ−１）１次元画像を生成する１次元空間光変調器、
（Ｂ−２）１次元空間光変調器によって生成された１次元画像を２次元的に展開して２次元画像を生成する走査光学系、及び、
（Ｂ−３）２次元画像の生成面に配置され、生成した２次元画像における空間周波数を、複数の回折次数に対応した回折角に沿って射出する格子フィルタ、
から成ることを特徴とする請求項１又は請求項２に記載の３次元像表示装置。
【請求項６】
フーリエ変換像形成手段はレンズから成り、
該レンズの前側焦点面に光変調手段が配置されており、
該レンズの後側焦点面にフーリエ変換像選択手段が配置されていることを特徴とする請求項１乃至請求項５のいずれか１項に記載の３次元像表示装置。
【請求項７】
フーリエ変換像選択手段は、前記複数の回折次数に対応する数の開閉制御可能な開口部を有することを特徴とする請求項１乃至請求項６のいずれか１項に記載の３次元像表示装置。
【請求項８】
フーリエ変換像選択手段は、液晶表示装置から成ることを特徴とする請求項７に記載の３次元像表示装置。
【請求項９】
フーリエ変換像選択手段においては、光変調手段による２次元画像の生成タイミングと同期して所望の開口部を開状態とすることによって、所望の回折次数に対応するフーリエ変換像を選択することを特徴とする請求項７に記載の３次元像表示装置。
【請求項１０】
前記２次元画像における空間周波数は、画素構造の空間周波数をキャリア周波数とした画像情報に相当することを特徴とする請求項１乃至請求項９のいずれか１項に記載の３次元像表示装置。
【請求項１１】
（Ａ）光源、
（Ｂ）Ｘ方向及びＹ方向に沿って２次元マトリクス状に配列されたＰ×Ｑ個（但し、Ｐ及びＱは任意の正の整数）の開口を有し、光源からの光の通過、反射、あるいは回折を開口毎に制御することで２次元画像を生成し、且つ、該２次元画像に基づき、開口毎に、Ｘ方向に沿って第ｍ次から第ｍ’次までのＭ組の（但し、ｍ及びｍ’は整数であり、Ｍは正の整数）、Ｙ方向に沿って第ｎ次から第ｎ’次までのＮ組の（但し、ｎ及びｎ’は整数であり、Ｎは正の整数）の、合計、Ｍ×Ｎ組の回折光を生成する２次元画像形成装置、
（Ｃ）その前側焦点面に２次元画像形成装置が配置されている第１のレンズ、
（Ｄ）第１のレンズの後側焦点面に配置され、Ｘ方向に沿ってＭ個、Ｙ方向に沿ってＮ個の、合計、Ｍ×Ｎ個の開閉制御可能な開口部を有する空間フィルタ、
（Ｅ）その前側焦点面に空間フィルタが配置されている第２のレンズ、並びに、
（Ｆ）第２のレンズの後側焦点に、その前側焦点が位置している第３のレンズ、
を備えていることを特徴とする３次元像表示装置。
【請求項１２】
２次元画像形成装置は、２次元的に配列されたＰ×Ｑ個の画素を有する液晶表示装置から成り、各画素には開口が備えられていることを特徴とする請求項１１に記載の３次元像表示装置。
【請求項１３】
２次元画像形成装置における各開口には、可動ミラーが設けられていることを特徴とする請求項１１に記載の３次元像表示装置。
【請求項１４】
空間フィルタは、Ｍ×Ｎ個の画素を有する液晶表示装置から成ることを特徴とする請求項１１乃至請求項１３のいずれか１項に記載の３次元像表示装置。
【請求項１５】
空間フィルタにおいては、２次元画像形成装置による２次元画像の生成タイミングと同期して所望の開口部を開状態とすることを特徴とする請求項１１乃至請求項１３のいずれか１項に記載の３次元像表示装置。
【請求項１６】
（Ａ）光源、
（Ｂ）Ｘ方向に沿ってＰ個の画素を有し、１次元画像を生成する１次元空間光変調器；１次元空間光変調器によって生成された１次元画像を２次元的に展開して２次元画像を生成する走査光学系；及び、２次元画像の生成面に配置され、画素毎に、第ｍ次から第ｍ’次までのＭ組の（但し、ｍ及びｍ’は整数であり、Ｍは正の整数）回折光を生成する回折光生成手段から成る２次元画像形成装置、
（Ｃ）その前側焦点面に回折光生成手段が配置されている第１のレンズ、
（Ｄ）第１のレンズの後側焦点面に配置され、Ｘ方向に沿ってＭ個、Ｙ方向に沿ってＮ個（但し、Ｎは正の整数）の、合計、Ｍ×Ｎ個の開閉制御可能な開口部を有する空間フィルタ、
（Ｅ）その前側焦点面に空間フィルタが配置されている第２のレンズ、並びに、
（Ｆ）第２のレンズの後側焦点に、その前側焦点が位置している第３のレンズ、
を備えていることを特徴とする３次元像表示装置。
【請求項１７】
１次元空間光変調器は、光源からの光を回折することによって１次元画像を生成することを特徴とする請求項１６に記載の３次元像表示装置。
【請求項１８】
空間フィルタは、Ｍ×Ｎ個の画素を有する液晶表示装置から成ることを特徴とする請求項１６又は請求項１７に記載の３次元像表示装置。
【請求項１９】
空間フィルタにおいては、２次元画像の生成タイミングと同期して所望の開口部を開状態とすることを特徴とする請求項１６又は請求項１７に記載の３次元像表示装置。
【請求項２０】
第３のレンズの後方には、更に、異方性の光拡散を生じさせる部材が配置されていることを特徴とする請求項１６乃至請求項１９のいずれか１項に記載の３次元像表示装置。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
フィールド・シーケンシャル方式の表示装置において、
赤色、緑色及び青色成分画像を切り換えて順次表示する液晶表示パネルと、
前記液晶表示パネルを駆動するためのパネル駆動信号及びタイミング信号を出力するパネル駆動部と、
赤色ＬＥＤ、緑色ＬＥＤ及び青色ＬＥＤを有する光源部と、
前記赤色ＬＥＤ、前記緑色ＬＥＤ及び前記青色ＬＥＤの輝度を設定するための設定部と、
前記設定部による設定に基づいて、前記赤色ＬＥＤ、前記緑色ＬＥＤ及び前記青色ＬＥＤの輝度を調整するための調整用データを出力する調整部と、
前記タイミング信号に同期して且つ前記調整用データに基づいて、前記赤色ＬＥＤ、前記緑色ＬＥＤ及び前記青色ＬＥＤを切り換えて順次発光させる光源駆動部と、
を有することを特徴とする表示装置。
【請求項２】
前記設定部は複数の導通パターン回路又は複数の非導通パターン回路を有し、前記設定部における設定は、前記複数の導通パターン回路の少なくとも１つの導通パターン回路の非導通化又は前記複数の非導通パターン回路の少なくとも１つの非導通パターン回路の導通化によって行う、請求項１に記載の表示装置。
【請求項３】
前記設定部はメモリを有し、前記設定部における設定は、前記メモリへの書き込みによって行う、請求項１に記載の表示装置。
【請求項４】
前記パネル駆動部に表示データを送信するための外部回路接続基板を更に有する、請求項１に記載の表示装置。
【請求項５】
前記外部回路接続基板上に、前記光源部、前記設定部及び前記光源駆動部が配置されている、請求項４に記載の表示装置。
【請求項６】
前記外部回路接続基板は第１のＦＰＣ基板及び第２のＦＰＣ基板を有し、前記光源部及び前記光源駆動部は前記第１のＦＰＣ基板上に配置され、前記設定部は前記第２のＦＰＣ基板上に配置される、請求項４に記載の表示装置。
【請求項７】
前記第１のＦＰＣ基板及び前記第２のＦＰＣ基板は一体形成されている、請求項６に記載の表示装置。
【請求項８】
前記パネル駆動部及び前記調整部が、同一のＩＣ内に設けられている、請求項１に記載の表示装置。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
画像を表示する複数の画素部を含む表示パネルと、
一定周期に基準ガンマ電圧を出力する基準ガンマ処理部と、
前記一定周期の間、前記基準ガンマ電圧を用いてデータ信号をアナログ形態のデータ電圧として画素部に出力するソース駆動部と、
入力された前記データ信号のフレームを判断し、任意のフレームに該当するデータ信号及び前記基準ガンマ電圧を所定時間だけ遅延させ、前記ソース駆動部に出力するタイミング制御部と、を含むことを特徴とする表示装置。
【請求項２】
前記任意のフレームは、偶数番目のフレームであることを特徴とする請求項１記載の表示装置。
【請求項３】
前記任意のフレームは、奇数番目のフレームであることを特徴とする請求項１記載の表示装置。
【請求項４】
前記タイミング制御部は、２Ｈ（Ｈは水平区間）間隔に前記データ電圧の極性を反転させるよう前記ソース駆動部を制御することを特徴とする請求項１記載の表示装置。
【請求項５】
前記所定時間は、１Ｈ（Ｈは水平区間）区間に対応することを特徴とする請求項１記載の表示装置。
【請求項６】
前記タイミング制御部は、垂直同期信号を用いて前記入力されたデータ信号のフレームを判断することを特徴とする請求項１記載の表示装置。
【請求項７】
前記基準ガンマ処理部は、
基準ガンマデータが保存されたガンマ保存部と、
前記基準ガンマデータをアナログ形態の基準ガンマ電圧に変換して前記ソース駆動部に出力するデジタルアナログ変換器と、を含むことを特徴とする請求項１記載の表示装置。
【請求項８】
前記ソース駆動部は、
入力されるデータ信号をサンプリングしてホールティングする第２サンプル／ホールド部と、
入力される前記基準ガンマ電圧をサンプリングしてホールディングする第２サンプル／ホールド部と、
ホールディングされた基準ガンマ電圧を用いて前記データ信号をデータ電圧に変換するデジタルアナログ変換部と、を含むことを特徴とする請求項１記載の表示装置。
【請求項９】
少なくとも一つのフレーム内に第１階調を有し、前記表示パネル上に表示されるストライプが後続の少なくとも一つのフレーム内に前記第１階調の反対である第２階調を有するストライプを表示して補償されることを特徴とする請求項１記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関わり、より詳細には、ストライプ形態の不良を除去した表示装置に関する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
このような表示装置によると、奇数番目のフレームのデータ信号、または偶数番目のフレームのデータ信号を１Ｈ遅延させて処理することで横ストライプ形態の画質不良を防止することができる。
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
入射される自然光線を第１偏光の常光線と当該常光線の進行方向に対して所定角度傾いた方向に進行する第２偏光の異常光線とに分離させる偏光プリズムフィルムと、
前記偏光プリズムフィルムからの前記異常光線の前記第２偏光を前記第１偏光に変更させる位相差フィルムと、を含む偏光補償フィルム。
【請求項２】
前記偏光プリズムフィルムは、互いに異なる屈折率を有する第１層と第２層とを有することを特徴とする請求項１記載の偏光補償フィルム。
【請求項３】
前記第１層と前記第２層とが接する界面は、プリズム形状を有することを特徴とする請求項２記載の偏光補償フィルム。
【請求項４】
前記常光線は前記界面で直進し、前記異常光線は前記界面で前記常光線と所定角度をなすように屈折されることを特徴とする請求項３記載の偏光補償フィルム。
【請求項５】
前記第２層は、複屈折特性を有する第１液晶層で形成されることを特徴とする請求項２記載の偏光補償フィルム。
【請求項６】
前記第１層は、透明樹脂層で形成されることを特徴とする請求項２記載の偏光補償フィルム。
【請求項７】
前記位相差フィルムは、複屈折特性を有する第２液晶層で形成されることを特徴とする請求項１記載の偏光補償フィルム。
【請求項８】
前記第２液晶層に含まれた液晶は、前記常光線の進行方向と平行なｚ軸方向と前記常光線の第１偏光の振動方向と平行なｘ軸方向とから構成されるｘ−ｚ平面上で、当該ｘ軸と所定角度をなすように配列されることを特徴とする請求項７記載の偏光補償フィルム。
【請求項９】
前記第２液晶層に含まれた液晶は、前記偏光プリズムフィルムのプリズム形状の長手方向に沿って配列されることを特徴とする請求項７記載の偏光補償フィルム。
【請求項１０】
前記第２液晶層に含まれた液晶は、前記常光線の進行方向と平行なｚ軸方向と前記常光線の第１偏光の振動方向と平行なｘ軸方向とから構成されるｘ−ｚ平面上で、当該ｚ軸に対する傾きが０°から９０°まで連続的に変化するように配列されることを特徴とする請求項７記載の偏光補償フィルム。
【手続補正２】
【補正対象書類名】明細書
【補正対象項目名】発明の名称
【補正方法】変更
【補正の内容】
【発明の名称】偏光補償フィルム
【手続補正３】
【補正対象書類名】明細書
【補正対象項目名】０００１
【補正方法】変更
【補正の内容】
【０００１】
本発明は、偏光補償フィルムに係り、より詳細には、光の利用効率を向上させることができる偏光補償フィルムに関する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
このような本発明の偏光補償フィルムによると、所望する偏光はそのまま透過させ、他の偏光は所望する偏光状態に変更して透過させることにより、光の利用効率を向上させ全体輝度を上昇させることができる。
【手続補正１３】
【補正対象書類名】明細書
【補正対象項目名】００２５
【補正方法】削除
【補正の内容】